(57)【要約】【課題】一度の輸送で廃材とされる部材を低減し、廃材処理に要する負担を軽減するとともに、返送や保管時には器具輸送用容器をコンパクト化することのできる器具輸送用容器を提供すること。【解決手段】輸送器具３載置用基台１ａに、輸送器具３の幅方向移動を固定するバンド１ｄと長さ方向移動を固定するバンド１ｂ及び輸送器具３を基台１ａおよび他の輸送器具３とを仕切る仕切りパッド１ｆの一端を固着した輸送用器具固定具１を形成し、この輸送用器具固定具１に輸送器具３を仕切りパッド１ｆを介して積み重ねて各バンド１ｄ、１ｂで固定し、側面板２ａ  、２ｂが所定の位置から折り畳み可能としてなる方形状の器具輸送用容器２に収納固定するとともに、器具輸送用容器２を取り外した輸送用器具固定具１を側面板２ａ  、２ｂを折り畳んで浅い箱とした器具輸送用容器２内に収納する。【選択図】  図１
2004168369.tif 000002
【特許請求の範囲】
【請求項１】
上面が開口し側面板が所定の位置から折り畳み可能としてなる方形状の器具輸送用容器と、輸送器具の移動を固定する可撓性のバンドの一端および輸送器具を仕切る可撓性の仕切りパッドの一端を固着してなる輸送器具を載置する基台とを有し、前記基台を前記器具輸送用容器内へ挿脱自在としてなることを特徴とする器具輸送用容器。
【請求項２】
前記仕切りパッドを介して輸送器具を積み重ねて前記バンドで前記基台上に固定した輸送器具を前記上面が開口した器具輸送用容器内に挿入固定してなることを特徴とする請求項１記載の器具輸送用容器。
【請求項３】
前記仕切りパッドを介して輸送器具を横に並設してバンドで基台上に固定した輸送器具を上面が開口した器具輸送用容器内に挿入固定してなることを特徴とする請求項１記載の器具輸送用容器。
【請求項４】
輸送器具の移動を固定する可撓性のバンドに輸送器具の側部に当接するガイド板を装着してなることを特徴とする請求項１記載の器具輸送用容器。
【請求項５】
前記ガイド板は積み重ねた輸送器具の側部にまたがって当接するとともに、前記ガイド板に積み重ねた輸送器具間に挿入するスペーサを装着してなることを特徴とする請求項５記載の器具輸送用容器。
【請求項６】
側面板を折り畳み浅箱状としてなる前記器具輸送用容器内に前記基台を収納してなることを特徴とする請求項１又は請求項４又は請求項５に記載の器具輸送用容器。
【発明の詳細な説明】
【０００１】
【発明の属する技術分野】
本発明は、照明器具などの器具を輸送する器具輸送用容器に関するものである。
【０００２】
【従来の技術】
たとえば照明器具などの器具を工場から照明器具を設置する現場へ輸送する場合、段ボールで形成した箱（容器）が使用され、この容器内にポリエチレン製のシートで包装した器具を収納し、容器内の器具の移動を防ぐために周囲に発泡体などからなる緩衝部材を挿入して保護固定している。そして、輸送後はこの容器、包装シートおよび緩衝部材をそれぞれ分別して廃棄処分される。しかし、このような器具輸送手段では器具の梱包に手間が掛かるばかりでなく、一度の輸送で廃材とされる部材が多く、その部材を処理するための負担もきわめて大きいという問題がある。
【０００３】
この問題を解消する手段として、例えば特開平８−８０９８４号公報に示されているように、プラスチック段ボールシートから上面が開口されたワンタッチで組み立てられる方形長尺状の包装容器を形成し、その容器の各対峙する側壁内側に、内部に収納する照明器具本体を支持固定する金具などの支持固定手段を設けた照明器具の包装装置が知られている。
【０００４】
【発明が解決しようとする課題】
この包装装置では器具の梱包が比較的に容易であるとともに、照明器具本体を取り出した後は包装装置をシート状に展開し、返送保管して再使用を図ることが可能であり、一度の輸送で廃材とされる部材を低減するが、展開した長尺状の包装装置は大きなシート状となるため、これを返送保管するには、広い平面が必要であり、また、その持ち運びなどの取り扱いがきわめて不便であるという問題がある。
【０００５】
本発明は、このような問題に鑑みなされたもので、一度の輸送で廃材とされる部材を低減し、廃材処理に要する負担を軽減するとともに、返送や保管時には器具輸送用容器をコンパクト化することのできる器具輸送用容器を提供することを目的とする。
【０００６】
【課題を解決するための手段】
請求項１に係る本発明は、上面が開口し側面板が所定の位置から折り畳み可能としてなる方形状の器具輸送用容器と、輸送器具の移動を固定する可撓性のバンドおよび輸送器具を仕切る可撓性の仕切りパッドを固着してなる輸送器具を載置する基台とを有し、前記基台を前記器具輸送用容器内へ挿脱自在としてなることを特徴とする。
【０００７】
請求項２に係る本発明は、請求項１に係る本発明において、前記仕切りパッドを介して輸送器具を積み重ねて前記バンドで基台上に固定した輸送器具を上面が開口した器具輸送用容器内に挿入固定してなることを特徴とし、請求項３に係る本発明は、請求項１に係る本発明において、前記仕切りパッドを介して輸送器具を横に並設して前記バンドで基台上に固定した輸送器具を上面が開口した器具輸送用容器内に挿入固定してなることを特徴とする。
【０００８】
請求項４に係る本発明は、器具輸送用容器の請求項１に係る本発明において、輸送器具の移動を固定する前記可撓性のバンドに輸送器具の側部に当接するガイド板を装着してなることを特徴とし、請求項５に係る本発明は、請求項４に係る本発明において、前記ガイド板は積み重ねた輸送器具の側部にまたがって当接するとともに、前記ガイド板に積み重ねた輸送器具間に挿入するスペーサを装着してなることを特徴とする。
【０００９】
請求項６に係る本発明は、請求項１又は請求項４又は請求項５に記載の本発明において、側面板を折り畳み浅箱状としてなる器具輸送用容器内に前記基台を収納してなることを特徴とする。
【００１０】
本発明では、器具を輸送する場合、器具輸送用容器の側面板を起立固定し、内部に収納した可撓性のバンドおよび可撓性の仕切りパッドの一端を固着した基台を取り出し、輸送する器具を仕切りパッド上に載置して可撓性のバンドでその器具を基台上に固定し、これを器具輸送用容器の側面板を起立固定した上面が開口する器具輸送用容器内に挿入固定して器具を輸送する。
【００１１】
輸送後、器具輸送用容器内から基台上に固定した器具を取り出しあるいはそのまま可撓性のバンドを外して器具を取り外す。その後、可撓性のバンドおよび可撓性の仕切りパッドの一端を固着した基台を器具輸送用容器内に残しあるいはその基台を器具輸送用容器内に挿入して器具輸送用容器の側面板を折り畳み開口部を覆う浅い箱に形成し、その状態で返送、保管し再利用するので、一度の輸送で廃材とされる部材は殆どなくなるとともに、器具固定部材を備える返送、保管時の器具輸送用容器を小型化することができる。
【００１２】
【発明の実施の形態】
以下、本発明の実施の形態について図を参照して説明する。図１は実施の形態に係る器具輸送用容器の器具輸送時の構成を示す斜視図で（ａ）輸送用器具固定具、（ｂ）輸送用器具固定具に輸送用器具を固定した状態、（ｃ）は輸送用器具を輸送用器具固定具に固定して器具輸送用容器に収納固定した状態、図２は器具輸送用容器の組み立て斜視図である。
【００１３】
図１において、１は輸送用器具固定具、２は器具輸送用容器、３は照明器具などの器具である。輸送用器具固定具１は、長尺方形状例えば長さ１３００ｍｍ、幅３２０ｍｍの例えばポリエチレン製の平板からなる基台１ａを有し、基台１ａの長手方向の両側の端部から中央部へ順に、器具３の長手方向への移動を固定する長手方向に延びる可撓性、例えばゴム製のバンド（又はエンドパッド）１ｂの端部、器具３の幅方向への移動を固定する両側から幅方向に延びる可撓性、例えばゴム性のバンド１ｄ、および器具３を仕切る幅方向に延びる可撓性、たとえばポリエチレン製の仕切りパッド１ｆの端部が固着されて構成されている。
【００１４】
そして、長手方向に延びるバンド１ｂの先端部には、掛止金具１ｃが取り付けられており、両側から幅方向に延びるバンド１ｄには、例えばポリエチレン製のガイド板１ｇが摺動自在に嵌め合わせられ、バンド１ｄの先端部には、一方はフック状１ｅ、他方はパイル状１ｈにしたテープが貼付けられている。なお、図１（ａ）では幅方向に延びるバンド１ｄは起立状態で示しているが、実際は基台１ａ面上に伏せ倒されている。
【００１５】
器具輸送用容器２は、底面に基台１ａを収納できる上面が開口する方形状をなし、長手方向の端縁で幅方向に起立する側面板２ａおよび幅方向の端縁で長手方向に起立する側面板２ｂが、各側面板２ａ、２ｂの上端隅に設けた図示しないロック機構（例えば前示の特開平８−８０９８４号公報などに示されているような周知の機構）を解除することによって所定の位置から開口面を覆うように折り畳み可能とされている。すなわち、長手方向の端縁で幅方向に起立する側面板２ａの基部２ｃおよび幅方向の端縁で長手方向に起立する側面板２ｂの基部２ｄにより浅い箱を形成し、その浅い箱内に器具３を外した輸送用器具固定具１を収納できるように形成されている。なお、図２では輸送用器具固定具１は省略している。
【００１６】
以上のように構成した器具輸送用容器２により器具３を輸送する場合、積み上げ保管された（図２の（ｄ））器具輸送用容器２を取り出し（図２の（ｃ）矢示Ａ１）、側面板２ａ、２ｂを起立させて（図２の（ｂ）矢示Ａ２）、各側面板２ａ、２ｂの上端隅に設けた図示しないロック機構でロックし、上面が開口する容器２に形成する（図２の（ａ）矢示Ａ３）。そして、その容器２に収納された輸送用器具固定具１を取り出し（図１の（ａ））、この輸送用器具固定具１に輸送する器具３を取り付ける。
【００１７】
その取付けは、図１の（ｂ）に示すように基台１ａに一端が固着された両側の１つの仕切りパッド１ｆ（この例では両側に並べて２つの仕切りパッド１ｆ、計４つ設けられている。）の上に一つの器具３を載せ、両側のもう１つの仕切りパッド１ｆを、載せた器具３の上に配置し、その上に一つの器具３を積み重ねる（図１の（ｂ）矢示Ａ４）。そのあと幅方向に延びるバンド１ｄを、ガイド板１ｇを積み重ねた器具３の側部にまたがって当接して器具３の上面に回し、フック状のテープ１ｅとパイル状のテープ１ｈを噛み合せて固定する。
【００１８】
つづいて長手方向に延びるバンド１ｂを器具３の上面に回し、掛止金具１ｃで締結する。これにより２段積みした器具３は基台１ａに固定される。器具３が基台１ａに固定された後、それを器具輸送用容器２に収納固定する（図１の（ａ）矢示Ａ５）。なお、この固定は基台１ａを器具輸送用容器２の底部に嵌め込むようにするか、ねじ締めなどによって固定する。
【００１９】
輸送後は、器具輸送用容器２内から基台１ａ上に固定した器具３を取り出し（図１の（ｂ）矢示Ｂ１）あるいはそのまま各バンド１ｂ、１ｄを外して器具３を上から順に取り外す（図１の（ａ）矢示Ｂ２）。その後、各バンド１ｂ、１ｄおよび仕切りパッド１ｆの一端を固着した基台１ａを器具輸送用容器２内に残しあるいはその基台１ａを器具輸送用容器２内に挿入して器具輸送用容器２の側面板を折り畳み（図２の（ｂ）矢示Ｂ３）開口部を覆う浅い箱に形成し（図２の（ｃ）矢示Ｂ４）、それを積み重ねて（図２の（ｄ）矢示Ｂ５）返送、保管し再利用する。
【００２０】
以上の実施の形態では、２つの器具を２段に重ねる場合であるが、図３の（ｂ）に示すように基台１ａを広くし、その上に２つの器具３を並列載置し、並列載置した各器具３の上に器具３を載置するようにしてもよい。なお、図３において、図１に示す実施の形態と対応する部分には同一の符号を付し、その部分の説明は省略する。
【００２１】
すなわち、図３に示す実施の形態では、器具３の長手方向への移動を固定する長手方向に延びる可撓性のバンド１ｂの幅を、２列２段に積み重ねた器具３の長手方向の端面に当接するように広く形成され、その先端に引っ掛けバー１ｃが取り付けられている。この実施の形態においては、器具輸送用容器２により器具３を輸送する場合、積み上げ保管された（図２の（ｄ））器具輸送用容器２を取り出し（図２の（ｃ）矢示Ａ１）器具輸送用容器２を取り出し（図２の（ｃ）矢示Ａ１）、側面板２ａ、２ｂを起立させて（図２の（ｂ）矢示Ａ２）、各側面板２ａ、２ｂの上端隅に設けた図示しないロック機構でロックし、上面が開口する容器２に形成する（図２の（ａ）矢示Ａ３）。そして、その容器２に収納された輸送用器具固定具１を取り出し（図３の（ａ））、この輸送用器具固定具１に輸送する器具３を取り付ける。
【００２２】
その取付けは、図３の（ｂ）に示すように基台１ａに一端が固着された両側の１つの仕切りパッド１ｆの上に一つの器具３を載せ、その仕切りパッド１ｆを外して載せた器具３の横に並べて器具３を基台１ａに載せる。その際、器具３を載せた仕切りパッド１ｆは器具３間を通して上部に引き出す。そして、  両側のもう１つの仕切りパッド１ｆを、並べた器具３の上に配置し、その上に器具３を積み重ねる（図３の（ｂ）矢示Ａ４）。その際、上部に引き出した仕切りパッド１ｆは重ねた器具３間に配置する。すなわち上部に引き出した仕切りパッド１ｆは横並び器具３間の接触を防止する。そのあと幅方向に延びるバンド１ｄを、ガイド板１ｇを積み重ねた器具３の側部にまたがって当接して器具３の上面に回し、フック状のテープ１ｅとパイル状のテープ１ｈを噛み合せて固定する。
【００２３】
つづいて器具３をバンド１ｄにより基台１ａに固定した後、長手方向に延びるバンド１ｂを器具３の上面に回して器具輸送用容器２に収納し、図３の（ｃ）で模式的に一方側で示すように引っ掛けバー１ｃを器具輸送用容器２の開口端縁に適宜形成した掛け部に掛止し、器具３を搭載した基台１ａを器具輸送用容器２に固定する（図３の（ｃ）矢示Ａ５）。なお、基台１ａを器具輸送用容器２に固定したあと  引っ掛けバー１ｃを掛け部に掛止してもよい。
【００２４】
輸送後は、引っ掛けバー１ｃを外し、器具輸送用容器２内から基台１ａ上に固定した器具３を取り出し（図３の（ｂ）矢示Ｂ１）あるいはそのまま各バンド１ｂ、１ｄを外して器具３を上から順に取り外す（図３の（ａ）矢示Ｂ２）。その後、各バンド１ｂ、１ｄおよび仕切りパッド１ｆの一端を固着した基台１ａを器具輸送用容器２内に残しあるいはその基台１ａを器具輸送用容器２内に挿入して器具輸送用容器２の側面板を折り畳み（図２の（ｂ）矢示Ｂ３）開口部を覆う浅い箱に形成し（図２の（ｃ）矢示Ｂ４）、それを積み重ねて（図２の（ｄ）矢示Ｂ５）返送、保管し再利用する。
【００２５】
なお、各実施の形態では、ガイド板１ｇの器具に当接する側は平坦面に形成しているが、図４に示すように、ガイド板１ｇの器具に当接する側の平坦面の中間部に、積み重ねた輸送器具間に挿入するスペーサ１ｓを設けると、図１に示すような１つの輸送器具の上に重ねる場合に輸送器具間に配置する仕切りパッドを省略することができる。
【００２６】
【発明の効果】
以上詳述したように、本発明によれば器具輸送に要する容器や器具固定具のほぼ全てを容易に返送して再利用を図ることができるので、省資源性に優れ、また、容器や器具固定具の取り扱いが簡便であって器具輸送に要するコストを大幅に低減することができる。
【図面の簡単な説明】
【図１】本発明の実施の形態に係る器具輸送用容器の器具輸送時の構成を示す斜視図である。
【図２】本発明の実施の形態に係る器具輸送用容器の組み立て斜視図である。
【図３】本発明の他の実施の形態に係る器具輸送用容器の器具輸送時の構成を示す斜視図である。
【図４】本発明の他の実施の形態に係る輸送用器具固定具の斜視図である。
【符号の説明】
１    輸送用器具固定具
１ａ  基台
１ｂ  バンド（又はエンドパッド）
１ｃ  掛止金具
１ｄ  バンド
１ｆ  仕切りパッド
１ｇ  ガイド板
１ｓ  スペーサ
２    器具輸送用容器
２ａ  、２ｂ  折り畳み側面板
３    輸送器具
【図１】
2004168369.tif 000003
【図２】
2004168369.tif 000004
【図３】
2004168369.tif 000005
【図４】
2004168369.tif 000006